(57)【特許請求の範囲】
【請求項１】
人間の近接の有無を検知する検知部と、
画像を表示する表示部と、
上記検知部での検知結果に基づいて、上記表示部に画像を表示させるためのメイン処理と、上記画像の表示以外の動作を行なうサブ処理と、の優先度を切替えて処理を実行する制御部と、
を備え、
前記検知部が人間の近接有りと判断した場合、メイン処理の優先度及びサブ処理の優先度を所定のレベルに設定し、前記検知部が人間の近接無しと判断した場合、メイン処理の優先度を、経過時間に応じて３段階以上の多段階で段階的に前記所定のレベルより低く設定し、サブ処理の優先度を、経過時間に応じて３段階以上の多段階で段階的に前記所定のレベルより高く設定することを特徴とする画像表示装置。
【請求項２】
上記メイン処理と、上記サブ処理と、からなる動作プログラムを記憶したメモリと、
装置外部の機器と通信する通信部と、
をさらに備え、
上記サブ処理は、上記通信部を介して上記装置外部の機器から上記表示部で表示するための画像コンテンツを取得する処理を含む
ことを特徴とする請求項１記載の画像表示装置。
【請求項３】
上記制御部は、上記メイン処理での画像の表示時のフレームレート、画像サイズ、及び１ドット当たりの表示階調数の少なくとも１つを優先度に応じて切替えることを特徴とする請求項１記載の画像表示装置。
【請求項４】
上記制御部は、上記サブ処理での通信レートを優先度に応じて切替えることを特徴とする請求項１記載の画像表示装置。
【請求項５】
画像を表示する表示部を備えた装置での画像表示方法であって、
人間の近接の有無を検知する検知工程と、
上記検知工程での検知結果に基づいて、上記表示部に画像を表示させるためのメイン処理と、上記画像の表示以外の動作を行なうサブ処理と、の優先度を切替えて処理を実行する制御工程と、
を有し、
前記検知工程で人間の近接有りと判断した場合、メイン処理の優先度及びサブ処理の優先度を所定のレベルに設定し、前記検知工程で人間の近接無しと判断した場合、メイン処理の優先度を、経過時間に応じて３段階以上の多段階で段階的に前記所定のレベルより低く設定し、サブ処理の優先度を、経過時間に応じて３段階以上の多段階で段階的に前記所定のレベルより高く設定することを特徴とする画像表示方法。
【請求項６】
画像を表示する表示部を備えた装置が内蔵したコンピュータが実行するプログラムであって、上記コンピュータを、
人間の近接の有無を検知する検知部、及び
上記検知部での検知結果に基づいて、上記表示部に画像を表示させるためのメイン処理と、上記画像の表示以外の動作を行なうサブ処理と、の優先度を切替えて処理を実行する制御部、
として機能させ、
前記検知部が人間の近接有りと判断した場合、メイン処理の優先度及びサブ処理の優先度を所定のレベルに設定し、前記検知部が人間の近接無しと判断した場合、メイン処理の優先度を、経過時間に応じて３段階以上の多段階で段階的に前記所定のレベルより低く設定し、サブ処理の優先度を、経過時間に応じて３段階以上の多段階で段階的に前記所定のレベルより高く設定することを特徴とするプログラム。
【発明の詳細な説明】
【技術分野】
【０００１】
本発明は、例えば商店の店頭に設置して顧客に商品の宣伝などを行なう画像表示装置、画像表示方法及びプログラムに関する。
【背景技術】
【０００２】
従来、閲覧者に対する印象を高めるべく、映像コンテンツをリアプロジェクション投影により人型等のスクリーンに投影するようにした映像出力装置搭載機器が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術では、人が所定の範囲内にいるか否かを検出する人感センサを設け、人感センサによって人を検出した際に、映像コンテンツをスクリーンに投影するようにしていた。
【０００５】
上記のような映像出力装置をネットワークで複数台接続し、各装置の設置位置や時間帯等によって、それぞれ出力する映像を切替えるようなシステムを考えた場合、中央のサーバ機等から端末の各映像出力装置に随時、映像コンテンツをダウンロードする必要を生じる。
【０００６】
したがって各映像出力装置では、サーバ機等から映像コンテンツを随時ダウンロードする一方で、人感センサによって人を検出した場合には映像コンテンツの投影動作を行なう必要があり、これらの動作タイミングが重複した場合には、制御を行なうＣＰＵの負担が一時的に大きくなるという不具合があった。
【０００７】
本発明は上記のような実情に鑑みてなされたもので、その目的とするところは、装置の制御を行なうＣＰＵにかかる負担を軽減しながら、必要なタイミングでの画像表示を確実に実行することが可能な画像表示装置、画像表示方法及びプログラムを提供することにある。
【課題を解決するための手段】
【０００８】
本発明の一態様は、人間の近接の有無を検知する検知部と、画像を表示する表示部と、上記検知部での検知結果に基づいて、上記表示部に画像を表示させるためのメイン処理と、上記画像の表示以外の動作を行なうサブ処理と、の優先度を切替えて処理を実行する制御部と、を備え、前記検知部が人間の近接有りと判断した場合、メイン処理の優先度及びサブ処理の優先度を所定のレベルに設定し、前記検知部が人間の近接無しと判断した場合、メイン処理の優先度を、経過時間に応じて３段階以上の多段階で段階的に前記所定のレベルより低く設定し、サブ処理の優先度を、経過時間に応じて３段階以上の多段階で段階的に前記所定のレベルより高く設定することを特徴とする。
【発明の効果】
【０００９】
本発明によれば、装置の制御を行なうＣＰＵにかかる負担を軽減しながら、必要なタイミングでの画像表示を確実に実行することが可能となる。
【図面の簡単な説明】
【００１０】
【図１】本発明の一実施形態に係るサイネージの外観構成を示す斜視図。
【図２】同実施形態に係る投影光学系の構成を示す側面図。
【図３】同実施形態に係る電子回路の機能構成を示すブロック図。
【図４】同実施形態に係る第１の動作例でＣＰＵが実行する、スレッドの優先度設定の処理内容を示すフローチャート。
【図５】同実施形態に係る第２の動作例でＣＰＵが実行する、スレッドの優先度設定の処理内容を示すフローチャート。
【発明を実施するための形態】
【００１１】
［一実施形態の構成］  
以下、本発明を店舗内に構築される、リアプロジェクション方式のサイネージを用いた広告システムに適用した場合の一実施形態について、図面を参照して詳細に説明する。  
図１は、同システム全体の接続構成を示すブロック図であり、無線ＬＡＮまたは有線ＬＡＮを含むネットワークＮＷを介して、広告配信サーバＳＶと、店舗内に設置された複数のサイネージ装置１０，１０，‥‥とが接続される。
【００１２】
広告配信サーバＳＶは、売り場や時間帯等によって異なる多数の広告用動画データをデータベース（ＤＢ）として蓄積し、適時広告を行なうタイミングに先立って、上記ネットワークＮＷを介して上記サイネージ装置１０，１０，‥‥に配信する。
【００１３】
図２は、店舗内に設置された上記サイネージ装置１０の外観構成を示す斜視図である。ここでサイネージとは、人型のスクリーンを用いたバーチャルマネキンであるとして、説明を行なう。  
このサイネージ装置１０では、装置筐体１０Ａの上面前端側に、交換可能なサイネージボードＳＢが立設される。このサイネージボードＳＢは、サイネージ装置１０の本来は矩形の投影可能領域内に収まるように設置された、任意形状を有する半透過板状の構成を有する。
【００１４】
このサイネージボードＳＢの前面下部中央に人感部ＨＳが設けられ、このサイネージ装置１０の前方を含む広範囲に存在する人物の有無を検知する。さらに人感部ＨＳの下方には、一対のスピーカ部ＳＰ，ＳＰが設けられ、ステレオ音声による拡声放音が可能となる。
【００１５】
また上記装置筐体１０Ａの上面後端側に、上記サイネージボードＳＢと平行にミラーＭＲが立設され、後述する投影レンズ部から出射した光像を前面側に全反射して、上記サイネージボードＳＢにその背面側から結像させる。
【００１６】
次に図３により上記サイネージ装置１０の主として電子回路の機能構成を説明する。同図中、無線通信技術としては例えば無線ＬＡＮ規格であるＩＥＥＥ８０２．１１ａ／ｂ／ｇ／ｎに準拠した無線通信システムに対応するものとする。上記広告配信サーバＳＶからの通信データは、店舗内に設けられた無線ＬＡＮルータ等の上記ネットワークＮＷを構成する要素を介し、アンテナ２１を用いて無線通信部２２で受信する。無線通信部２２は、受信したデータを復調して画像データ、音声データ及びその他の制御データに分離する。得られた画像データはバスＢを介して投影画像駆動部２３に送られる。
【００１７】
投影画像駆動部２３は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２４を表示駆動する。
【００１８】
このマイクロミラー素子２４は、アレイ状に配列された複数個、例えば横１６００個×縦１２００個の微小ミラーの各傾斜角度を個々に高速でオン／オフ動作して表示動作することで、その反射光により光像を形成する。
【００１９】
一方で、光源部２５から時分割でＲ，Ｇ，Ｂの原色光が循環的に出射される。光源部２５は、半導体発光素子であるＬＥＤを有し、Ｒ，Ｇ，Ｂの原色光を時分割で繰返し出射する。光源部２５が有するＬＥＤは、広義でのＬＥＤとして、ＬＤ（半導体レーザ）や有機ＥＬ素子を含むものとしても良い。
【００２０】
また、ＬＥＤから出射された光を蛍光体に照射することで励起される、元の光とは波長が異なる原色光を用いるものとしても良い。この光源部２５からの原色光が、ミラー２６で全反射して上記マイクロミラー素子２４に照射される。
【００２１】
そして、マイクロミラー素子２４での反射光で光像が形成され、形成された光像が投影レンズ部ＰＬを介して、上記ミラーＭＲで反射された後に上記サイネージボードＳＢに投射される。
【００２２】
また、上記無線通信部２２で復調、分離された音声データは、バスＢを介して音声処理部２７へ送信される。この音声処理部２７は、例えばＰＣＭ音源などの音源回路を有し、送られてきた音声データに基づいてアナログの音声信号を再生して、上記スピーカ部ＳＰ，ＳＰより放音させる。
【００２３】
上記各回路の動作すべてをＣＰＵ２８が制御する。このＣＰＵ２８は、メインメモリ２９及びプログラムメモリ３０と直接接続される。メインメモリ２９は、例えばＳＲＡＭで構成され、ＣＰＵ２８のワークメモリとして機能する。プログラムメモリ３０は、電気的書換可能な不揮発性メモリ、例えばフラッシュＲＯＭで構成され、ＣＰＵ２８が実行する動作プログラムや各種定型データ等を記憶する。
【００２４】
ＣＰＵ２８は、上記プログラムメモリ３０に記憶されている動作プログラムや定型データ等を読出し、メインメモリ２９に展開して記憶させた上で当該プログラムを実行することにより、このサイネージ装置１０を統括して制御する。
【００２５】
上記ＣＰＵ２８は、操作部３１からの操作信号に応じて各種投影動作を実行する。この操作部３１は、サイネージ装置１０の本体に備える、当該店舗に来店した客が直接操作するキーのキー操作信号を上記ＣＰＵ２８へ送出する。
【００２６】
上記ＣＰＵ２８はさらに、上記バスＢを介してＡ／Ｄ変換器３２、画像メモリ３３と接続される。  
Ａ／Ｄ変換器３２は、上記人感部ＨＳの一部を構成する広角系のレンズ部３４を介して人体から放射される赤外線を検知する焦電センサ３５からの検知出力をデジタル化してＣＰＵ２８へ送出する。
【００２７】
上記画像メモリ３３は、当該無線通信部２２を介して上記広告配信サーバＳＶから受信した、音声付きの動画データ等を記憶する。
【００２８】
［一実施形態の第１の動作例］  
次に上記実施形態の第１の動作例について説明する。  
なお以下に示す動作は、上述した如くＣＰＵ２８がプログラムメモリ３０から読出した動作プログラム等をメインメモリ２９に展開した上で実行するものである。プログラムメモリ３０に記憶される動作プログラム等は、このサイネージ１０の工場出荷時にプログラムメモリ３４に記憶されていたもののみならず、上記広告配信サーバＳＶからダウンロードした更新プログラムをインストールした内容等を含む。
【００２９】
図４は、このサイネージ１０を店舗内の任意の商品近傍に設置した状態で一定周期、例えば０．５［秒］毎に実行する、上記人感部ＨＳの検知出力に対応した設定動作の処理内容を示すものである。その当初にＣＰＵ２８は、人感部ＨＳの焦電センサ３５での検知出力をＡ／Ｄ変換器３２でデジタル化した値を取得した上で（ステップＳ１０１）、その値が予め設定された値を上回っているか否かにより、例えば平均的な体温を有する者が当該サイネージ装置１０の前方周囲の半径５［ｍ］以内に存在するか否かを判断する（ステップＳ１０２）。
【００３０】
ここで焦電センサ３５の出力値が予め設定された値を上回っており、人が近くにいると判断した場合（ステップＳ１０２のＹｅｓ）、ＣＰＵ２８は上記画像メモリ３３に記憶される動画データを用いての、投影画像駆動部２３、マイクロミラー素子２４、光源部２５、及びミラー２６と投影レンズ部ＰＬからなる投影系を用いた動画の投影動作に関するメインスレッドの優先度を「高」に設定すると共に、サイネージ装置１０が広告配信サーバＳＶから画像コンテンツのデータファイルをダウンロードする処理等、動画の投影動作以外の動作に関するサブスレッドの優先度を「低」に設定した上で（ステップＳ１０３）、次の周期で同様の処理を行なうべく、上記ステップＳ１０１からの処理に戻る。
【００３１】
ここでメインスレッドの優先度を「高」に設定した場合、例えば  
動画のフレームレート：６０［フレーム／秒］  
投影画像サイズ：横１６００ドット×縦１２００ドット  
カラー階調数：フルカラー（１６７７万色）（ＲＧＢ各色２５６階調）  
ビットレート（画像メモリ３３→投影画像駆動部２３間）：１２［Ｍｂｐｓ］  
として設定する。
【００３２】
併せて、サブスレッドの優先度を「低」に設定した場合、例えば上記アンテナ２１を介して無線通信部２２で受信し、画像メモリ３３に記憶する動画データのダウンロード時のトータルでの通信レートを０．５［Ｍｂｐｓ］として設定する。
【００３３】
また上記ステップＳ１０３で焦電センサ３５の出力値が予め設定された値以下であり、人が近くにはいないと判断した場合（ステップＳ１０２のＮｏ）、ＣＰＵ２８は上記画像メモリ３３に記憶される動画データを用いての、投影画像駆動部２３、マイクロミラー素子２４、光源部２５、及びミラー２６と投影レンズ部ＰＬからなる投影系を用いた動画の投影動作に関するメインスレッドの優先度を「低」に設定すると共に、動画の投影動作以外の動作に関するサブスレッドの優先度を「高」に設定した上で（ステップＳ１０４）、次の周期で同様の処理を行なうべく、上記ステップＳ１０１からの処理に戻る。
【００３４】
ここでメインスレッドの優先度を「低」に設定した場合、例えば  
動画のフレームレート：１５［フレーム／秒］  
投影画像サイズ：横４００ドット×縦３００ドット  
カラー階調数：限定カラー（２６万色）（ＲＧＢ各色６４階調）  
ビットレート（画像メモリ３３→投影画像駆動部２３間）：３［Ｍｂｐｓ］  
として設定する。
【００３５】
併せて、サブスレッドの優先度を「高」に設定した場合、例えば上記アンテナ２１を介して無線通信部２２で受信し、画像メモリ３３に記憶する動画データのダウンロード時のトータルでの通信レートを１０［Ｍｂｐｓ］として設定する。
【００３６】
このようにサイネージ装置１０の近傍に人が存在し、メインスレッドとして動画の投影を優先して行なう状態と、サイネージ装置１０の近傍には人が存在せず、サブスレッドとして動画データのダウンロード等を優先して行なう状態とを択一的に切換えるものとしたので、ＣＰＵ２８による制御の切替を簡易化しながらも、同ＣＰＵ２８にかかる負担を軽減し、必要なタイミングでの画像表示を確実に実行することが可能となる。
【００３７】
［一実施形態の第２の動作例］  
次に上記実施形態の第２の動作例について説明する。  
図５は、このサイネージ１０を店舗内の任意の商品近傍に設置した状態で一定周期、例えば０．５［秒］毎に実行する、上記人感部ＨＳの検知出力と人が近くにいない場合の経過時間とに対応した設定動作の処理内容を示すものである。その当初にＣＰＵ２８は、人感部ＨＳの焦電センサ３５での検知出力をＡ／Ｄ変換器３２でデジタル化した値を取得した上で（ステップＳ２０１）、その値が予め設定された値を上回っているか否かにより、例えば平均的な体温を有する者が当該サイネージ装置１０の前方周囲の半径５［ｍ］以内に存在するか否かを判断する（ステップＳ２０２）。
【００３８】
ここで焦電センサ３５の出力値が予め設定された値を上回っており、人が近くにいると判断した場合（ステップＳ２０２のＹｅｓ）、ＣＰＵ２８は上記画像メモリ３３に記憶される動画データを用いての、投影画像駆動部２３、マイクロミラー素子２４、光源部２５、及びミラー２６と投影レンズ部ＰＬからなる投影系を用いた動画の投影動作に関するメインスレッドの優先度を「高」に設定すると共に、動画の投影動作以外の動作に関するサブスレッドの優先度を「低」に設定した上で（ステップＳ２０３）、次の周期で同様の処理を行なうべく、上記ステップＳ２０１からの処理に戻る。
【００３９】
ここでメインスレッドの優先度を「高」に設定した場合、例えば  
動画のフレームレート：６０［フレーム／秒］  
投影画像サイズ：横１６００ドット×縦１２００ドット  
カラー階調数：フルカラー（１６７７万色）（ＲＧＢ各色２５６階調）  
ビットレート（画像メモリ３３→投影画像駆動部２３間）：１２［Ｍｂｐｓ］  
として設定する。
【００４０】
併せて、サブスレッドの優先度を「低」に設定した場合、例えば上記アンテナ２１を介して無線通信部２２で受信し、画像メモリ３３に記憶する動画データのダウンロード時のトータルでの通信レートを０．５［Ｍｂｐｓ］として設定する。
【００４１】
また上記ステップＳ２０２で焦電センサ３５の出力値が予め設定された値以下であり、人が近くにはいないと判断した場合（ステップＳ２０２のＮｏ）、ＣＰＵ２８は、人が近くにいなくなってからの時間を、ＣＰＵ２８内部のカウント値により判断する（ステップＳ２０４）。
【００４２】
ここで人が近くにいなくなってからのカウント時間が１０［秒］以下であると判断した場合、ＣＰＵ２８はメインスレッドの優先度を「中」に設定すると共に、サブスレッドの優先度を「低」に設定した上で（ステップＳ２０５）、次の周期で同様の処理を行なうべく、上記ステップＳ２０１からの処理に戻る。
【００４３】
ここでメインスレッドの優先度を「中」に設定した場合、例えば  
動画のフレームレート：３０［フレーム／秒］  
投影画像サイズ：横８００ドット×縦６００ドット  
カラー階調数：限定カラー（２１０万色）（ＲＧＢ各色１２８階調）  
ビットレート（画像メモリ３３→投影画像駆動部２３間）：６［Ｍｂｐｓ］  
として設定する。
【００４４】
また上記ステップＳ２０４で人が近くにいなくなってからのカウント時間が１０［秒］を超えているが３０［秒］以下であると判断した場合、ＣＰＵ２８はメインスレッドの優先度を「中」に設定すると共に、サブスレッドの優先度を「中」に設定した上で（ステップＳ２０６）、次の周期で同様の処理を行なうべく、上記ステップＳ２０１からの処理に戻る。
【００４５】
サブスレッドの優先度を「中」に設定した場合、例えば動画データのダウンロード時のトータルでの通信レートを３［Ｍｂｐｓ］として設定する。
【００４６】
さらに上記ステップＳ２０４で人が近くにいなくなってからのカウント時間が３０［秒］を超えているが６０［秒］以下であると判断した場合、ＣＰＵ２８はメインスレッドの優先度を「低」に設定すると共に、サブスレッドの優先度を「高」に設定した上で（ステップＳ２０７）、次の周期で同様の処理を行なうべく、上記ステップＳ２０１からの処理に戻る。
【００４７】
メインスレッドの優先度を「低」に設定した場合、例えば  
動画のフレームレート：１５［フレーム／秒］  
投影画像サイズ：横４００ドット×縦３００ドット  
カラー階調数：限定カラー（２６万色）（ＲＧＢ各色６４階調）  
ビットレート（画像メモリ３３→投影画像駆動部２３間）：３［Ｍｂｐｓ］  
として設定する。
【００４８】
併せて、サブスレッドの優先度を「高」に設定した場合、動画データのダウンロード時のトータルでの通信レートを１０［Ｍｂｐｓ］として設定する。
【００４９】
また上記ステップＳ２０４で人が近くにいなくなってからのカウント時間が６０［秒］を超えていると判断した場合、ＣＰＵ２８はメインスレッドの優先度を「停止」に設定すると共に、サブスレッドの優先度を「高」に設定した上で（ステップＳ２０７）、次の周期で同様の処理を行なうべく、上記ステップＳ２０１からの処理に戻る。
【００５０】
メインスレッドの優先度を「停止」に設定した場合、ＣＰＵ２８は投影画像駆動部２３、マイクロミラー素子２４、及び光源部２５での各処理を止めて一時的に投影動作を停止させ、サブスレッドの処理のみに専念する。
【００５１】
このようにサイネージ装置１０の近傍に人が存在し、メインスレッドとして動画の投影を優先して行なう状態と、サイネージ装置１０の近傍に人が存在しない状態とを判別し、さらに人がいない状態では、人がいなくなってからの経過時間に応じて段階的にメインスレッドとサブスレッドの各パラメータを段階的に切換えるものとしたので、必要に応じた投影動作を継続しながらも、ＣＰＵ２８にかかる負担を軽減することが可能となる。
【００５２】
［一実施例の作用効果］  
以上詳述した如く本実施形態によれば、サイネージ装置１０の制御を行なうＣＰＵ２８の負担を軽減しながら、必要なタイミングでの画像表示を確実に実行することが可能となる。
【００５３】
特に上記実施形態では、サイネージ装置１０が広告配信サーバＳＶから画像コンテンツのデータファイルをダウンロードする処理をサブスレッドとしたので、画像コンテンツを広告配信サーバＳＶから取得する際の処理を投影動作の処理状況に応じて制御するため、ＣＰＵ２８の負担を確実に軽減しながら、バリエーションに富んだ画像の投影が実現できる。
【００５４】
この場合、特にサブスレッドの通信レートを優先度に応じて切換えるようにしたので、取扱う通信データの量を制限することで制御の内容を簡易化することができる。
【００５５】
また上記実施形態では、メインスレッドの投影動作としてフレームレート、画像サイズ、及び１ドット当たりの表示階調数等を優先度に応じて切替えるものとしたので、投影動作の内容をきめ細かくコントロールしてＣＰＵ２８にかかる負荷を適正にコントロールできる。
【００５６】
なお上記実施形態は、店舗内に構築される、リアプロジェクション方式のサイネージを用いた広告システムに適用した場合について説明したが、本発明は表示装置の設置場所や表示装置の種類、画像コンテンツの種別等を限定するものではない。
【００５７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５８】
以下に、本願出願の当初の特許請求の範囲に記載された発明を付記する。  
請求項１記載の発明は、人間の近接の有無を検知する検知部と、画像を表示する表示部と、上記検知部での検知結果に基づいて、上記表示部に画像を表示させるためのメイン処理と、上記画像の表示以外の動作を行なうサブ処理と、の優先度を切替えて処理を実行する制御部と、を備えたことを特徴とする。
【００５９】
請求項２記載の津発、上記請求項１記載の発明において、上記メイン処理と、上記サブ処理と、からなる動作プログラムを記憶したメモリと、装置外部の機器と通信する通信部と、をさらに備え、上記サブ処理は、上記通信部を介して上記外部の機器から上記表示部で表示するための画像コンテンツを取得する処理を含むことを特徴とする。
【００６０】
請求項３記載の発明は、上記請求項１記載の発明において、上記制御部は、上記メイン処理での画像の表示時のフレームレート、画像サイズ、及び１ドット当たりの表示階調数の少なくとも１つを優先度に応じて切替えることを特徴とする。
【００６１】
請求項４記載の発明は、上記請求項１記載の発明において、上記制御部は、上記サブ処理での通信レートを優先度に応じて切替えることを特徴とする。
【００６２】
請求項５記載の発明は、画像を表示する表示部を備えた装置での画像表示方法であって、人間の近接の有無を検知する検知工程と、上記検知工程での検知結果に基づいて、上記表示部に画像を表示させるためのメイン処理と、上記画像の表示以外の動作を行なうサブ処理と、の優先度を切替えて処理を実行する制御工程と、を有したことを特徴とする。
【００６３】
請求項６記載の発明は、画像を表示する表示部を備えた装置が内蔵したコンピュータが実行するプログラムであって、上記コンピュータを、人間の近接の有無を検知する検知部、及び上記検知部での検知結果に基づいて、上記表示部に画像を表示させるためのメイン処理と、上記画像の表示以外の動作を行なうサブ処理と、の優先度を切替えて処理を実行する制御部、として機能させることを特徴とする。
【符号の説明】
【００６４】
１０…サイネージ装置、
１０Ａ…装置筐体、
２１…アンテナ、
２２…無線通信部、
２３…投影画像駆動部、
２４…マイクロミラー素子、
２５…光源部、
２６…ミラー、
２７…音声処理部、
２８…ＣＰＵ、
２９…メインメモリ、
３０…プログラムメモリ、
３１…操作部、
３２…Ａ／Ｄ変換器、
３３…画像メモリ、
３４…レンズ部、
３５…焦電センサ、
Ｂ…バス、
ＨＳ…人感部、
ＭＲ…ミラー、
ＮＷ…ネットワーク、
ＰＬ…投影レンズ部、
ＳＢ…サイネージボード、
ＳＰ…スピーカ部、
ＳＶ…広告配信サーバ。
【図１】
0006507496.tif 000002
【図２】
0006507496.tif 000003
【図３】
0006507496.tif 000004
【図４】
0006507496.tif 000005
【図５】
0006507496.tif 000006